(57)【要約】【課題】枠体に対して開閉するドアを加工したり傷つけたりすることなく、さらに、特別な道具を用いることなく着脱することができるドア用補助錠を提供する。【解決手段】ドア用補助錠（１）の錠本体（５）をドアに着脱するための着脱構造（３）に、装着時において、ドア上端（１０５ａ）に載る上端連結板（１３）とドア側端（１０５ｂ）に位置する側端連結板（３１）を設け、これらをドア（１０５）と枠体（１０３）とで挟持して上下左右方向への移動を阻止する。錠本体（５）は電子錠であって、電子キー（８１）を検知体（７１）に近接させることにより施錠・開錠可能とする。着脱構造の着脱は、ドアの上から被せるだけでドアの加工等は不要である。着脱に特別な道具もいらない。【選択図】  図１
2004218296.tif 000002
【特許請求の範囲】
【請求項１】
枠体に対して開閉するドアの角部に着脱構造を介して着脱可能なドア用補助錠であって、
当該着脱構造が、装着時において、当該ドアの内側面に位置するロック機構支持部と、当該ドアの外側面に位置する検知体支持部と、当該ロック機構支持部と当該検知体支持部とを当該枠体の下面と当該ドアの上端面との間を通って連結可能な上端連結板と、当該ロック機構支持部と当該検知体支持部とを当該枠体の側面と当該ドアの側端面との間を通って連結可能な側端連結板と、を含み、
当該ロック機構支持部が支持するロック機構部と、当該検知体支持部が支持する検知体と、当該枠体の側面と当該側端面との間を通って当該ロック機構部と当該検知体とを電気的に連結可能な扁平配線体と、当該枠体に着脱可能なロック片受け体と、を含み、
当該ロック機構部が、当該検知体に接近させた電子キーにより制御されてロック片を出没可能に構成してあり、
当該ロック片受け体が、突出した当該ロック片と掛合してロック可能に構成してある
ことを特徴とするドア用補助錠。
【請求項２】
前記ロック機構支持部と、前記上端連結板と、前記検知体支持部とにより、着脱構造本体を形成してあり、
前記側端連結板が、当該着脱構造本体に対して前記側端連結板が着脱自在となるように、両者間に連結板着脱構造を構成してある
ことを特徴とする請求項１に記載したドア用補助錠。
【請求項３】
前記着脱構造本体が、前記ロック機構支持部と、前記上端連結板と、前記検知体支持部と、を断面略コの字状に屈曲させた金属板により構成してあり、
前記側端連結板が、断面略コの字状に屈曲させた金属板により構成してある
ことを特徴とする請求項２に記載したドア用補助錠。
【請求項４】
前記ロック機構支持部のドアに面する面と、前記検知体支持部のドアに面する面には、クッションシートを貼り付けてある
ことを特徴とする請求項３に記載したドア用補助錠。
【発明の詳細な説明】
【０００１】
【発明の属する技術分野】
この発明は、一般住宅、集合住宅、仮設住宅、各種倉庫等が備えるドアに簡単に取り付けることのできるドア用補助錠に関するものである。
【０００２】
【従来の技術】
ドア、すなわち、ヒンジ等により支持され枠体に対して開閉する戸に、ドアを何ら加工せずに取り付けられる補助錠は存在しなかった。ドアを加工してもよいのであれば、たとえば、掛け金をドアに、受け座を枠体に、それぞれネジ固定し、両者を南京錠によりロックする方法がある。
【０００３】
【発明が解決しようとする課題】
しかし、ドアにネジ孔を開けてしまうと、その補助錠が不要となり外したときにネジ孔が残ってしまう。これでは外観上好ましくない。また、取り付け取り外すために、特別な道具（ドリルやドライバー等）が必要である。ここで、建築中の一般住宅を考える。ドアに付属する錠を開錠可能な鍵を使ってドアを施錠したり開錠したりすることもできる。しかし、不特定多数の人が出入り自由な建築中の一般住宅において、完成後に使用される鍵を不特定多数の人に渡すことは防犯上好ましくない。鍵をなくす場合もあるであろうし、鍵のコピーをされてしまう場合もあろうからである。そこで、補助錠が必要になる。本発明が解決しようとする課題は、枠体に対して開閉するドアを加工したり傷つけたりすることなく、さらに、特別な道具を用いることなく着脱できるドア用補助錠を提供することにある。
【０００４】
【課題を解決するための手段】
ドアに着脱可能な補助錠が存在しないのは、ドアと枠体との間の隙間が極狭いため、その隙間にドアをロックするための部材を設けることができないからである、と発明者は考えた。そこで、試行錯誤を重ねた発明者は、ドアと枠体との間の隙間を積極的に利用すれば、ドアを傷つけずに簡単に着脱のできる補助錠が作れる、ことに気がついた。本発明は、そのような観点からなされたものである。その詳しい構成については、項を改めて説明する。なお、何れかの請求項に係る発明の説明に当たって行う用語の定義等は、その性質上可能な範囲において他の請求項に係る発明にも適用されるものとする。
【０００５】
（請求項１に記載した発明の特徴）
請求項１に記載した発明に係るドア用補助錠（以下、「請求項１の補助錠」という）は、枠体に対して開閉するドアの角部に着脱構造を介して着脱可能に構成してある。より具体的には、当該着脱構造が、装着時において、当該ドアの内側面に位置するロック機構支持部と、当該ドアの外側面に位置する検知体支持部と、当該ロック機構支持部と当該検知体支持部とを当該枠体の下面と当該ドアの上端面との間を通って連結可能な上端連結板と、当該ロック機構支持部と当該検知体支持部とを当該枠体の側面と当該ドアの側端面との間を通って連結可能な側端連結板と、を含む構成となっている。また、当該ロック機構支持部が支持するロック機構部と、当該検知体支持部が支持する検知体と、当該枠体の側面と当該側端面との間を通って当該ロック機構部と当該検知体とを電気的に連結可能な扁平配線体と、当該枠体に着脱可能なロック片受け体と、を含む構成となっている。さらに、当該ロック機構部が、当該検知体に接近させた電子キーにより制御されてロック片を出没可能に構成してあり、当該ロック片受け体が、突出した当該ロック片と掛合してロック可能に構成してある。
【０００６】
請求項１の補助錠によれば、ドアへの取り付けは上から被せるようにして行い、取り外しはその逆を行う。取り付けたときにロック機構支持部と検知体支持部とは自重により下方に移動しようとするが、ドア上端面に載った上端連結板がその移動を阻止し、その結果、ロック機構支持部と検知体支持部のドア下方向への移動が規制される。ドア閉鎖時の上端連結板は、枠体の下面に押えられてドア上方向への移動をも規制される。つまり、上端連結板はドア上端面と枠体下面とに挟まれて上下方向に移動できない。他方、閉鎖時において、ドアの側端面と枠体の側面とにより挟まれる側端連結板は、ドアの側端面に阻まれてドア中央部方向への移動が規制され、かつ、枠体方向への移動は枠体の側面に邪魔される。つまり、側端連結板はドア側端面と枠体側面とに挟まれて左右方向に移動できない。このように、上下左右方向の移動が規制されるため、ドアを加工したり傷つけたりすることなく、さらに、特別な道具を用いることなくドア用補助錠を着脱することができる。さらに、閉鎖時にドア用補助錠がドアから外れることはない。請求項１の補助錠は、いわゆる電子錠であって、電子キーを検知体に接近させることにより、施錠・開錠ができる。電子キーの制御により突出したロック片はロック片受け体と掛合してロックが完了する。開錠するときは、電子キーの制御によりロック片が退出してロック片受け体とのロックが解除される。検知体とロック機構との電気的接続は扁平配線体により行われ、扁平配線体はその扁平形状によりドアと枠体との間の僅かな隙間に挿入可能である。
【０００７】
（請求項２に記載した発明の特徴）
請求項２に記載した発明に係るドア用補助錠（以下、「請求項２の補助錠」という）は、請求項１の補助錠であって、前記ロック機構支持部と、前記上端連結板と、前記検知体支持部とにより、着脱構造本体を形成してある。さらに、当該着脱構造本体に対して前記側端連結板が着脱自在となるように、両者間に連結板着脱構造を構成してある。
【０００８】
請求項２の補助錠によれば、請求項１の補助錠であって、ロック機構支持部と上端連結板と検知体支持部とが、着脱構造本体を形成し、この着脱構造本体に対して側端連結板が着脱自在となる。側端連結板の着脱は、連結板着脱構造の働きにより可能となる。着脱構造本体に対して側端連結板を着脱自在に構成したのは、主として製造と取扱いを容易化するためである。
【０００９】
（請求項３に記載した発明の特徴）
請求項３に記載した発明に係るドア用補助錠（以下、「請求項３の補助錠」という）は、請求項２の補助錠であって、前記着脱構造本体が、前記ロック機構支持部と、前記上端連結板と、前記検知体支持部と、を断面略コの字状に屈曲させた金属板により構成してあり、前記側端連結板が、断面略コの字状に屈曲させた金属板により構成してある。
【００１０】
請求項３の補助錠によれば、請求項２の補助錠の作用効果に加え、着脱構造本体と側端連結板とを、それぞれ一枚の金属板により構成することにより、その製造・加工を単純化することができる。製造・加工の単純化は、製造コストの削減に貢献する。
【００１１】
（請求項４に記載した発明の特徴）
請求項４に記載した発明に係るドア用補助錠（以下、「請求項４の補助錠」という）は、請求項３の補助錠であって、前記ロック機構支持部のドアに面する面と、前記検知体支持部のドアに面する面には、クッションシートを貼り付けてある。クッションシートは、補助錠の着脱やドアの開閉等の邪魔にならなければ、これを上記以外の部位に設けても構わない。
【００１２】
請求項４の補助錠によれば、請求項３の補助錠の作用効果に加え、クッションシートの働きにより、その着脱に際してドアの表面を傷つけるおそれを少なくすることができる。さらに、クッションシートの弾力性や厚みを適当に選ぶことにより、ロック機構支持部と検知体支持部との間を一定に保ちながら、ドアの厚みの違いに対応することが可能になる。
【００１３】
【発明の実施の形態】
次に、各図を参照しながら、本発明の実施の形態について説明する。図１は、ドア用補助錠（以下、適宜「補助錠」と略称する）を閉鎖したドアの左上角部に取り付けたドアの斜視図である。図２は、図１に示す補助錠の拡大斜視図である。図３は、図１に示す補助錠の着脱構造を示す斜視図である。図４及び５は、図１に示す補助錠の正面図（ドアの内側から見た図）である。図６及び７は、図１に示す補助錠の背面図（ドアの外側から見た図）である。図８は、図１に示す補助錠の左側面図（ドア側から見た図）である。図９は、図１に示す補助錠の平面図である。
【００１４】
（補助錠の使用例）
図１に基づいて説明する。符合１０１は壁を示し、符合１０３は壁に設けた枠体を示している。枠体１０３には、ヒンジ１０７，１０７を介して枠体１０３に対して開閉するドア１０５が取り付けてある。枠体は壁と別体であることが一般的であるが、壁と一体化している場合、すなわち、壁に通路穴を設けただけの場合もある。ドア１０５にはハンドル１０９とメインロック１１１が設けてある。メインロック１１１はあってもなくても構わない。ドア１０５は、一般住宅に取り付けるためのドアであって、木製又はスチール製のものが一般的であるが、その材質や寸法に制限はない。集合住宅や倉庫等に設けるドアであってもよい。ドア１０５の角部には、補助錠１が取り付けてある。補助錠１は、メインロックを設けてあるドアは勿論、設けてないドアに用いることもできる。
【００１５】
（補助錠の構造）
図１乃至９を参照しながら説明する。補助錠１は、着脱構造３と、この着脱構造３が支持する錠本体５と、から構成してある。着脱構造３は、着脱構造本体１１と、この着脱構造本体１１に連結板着脱構造２１を介して着脱可能な側端連結板３１と、により構成してある。着脱構造本体１１は、細長い矩形の金属板（たとえば、スチール板やアルミニウム板）を断面略コの字状に屈曲させたものであって、その一辺がロック機構支持板（ロック機構支持部）１２を、その他辺が検知体支持板（検知体支持部）１４を、両者に挟まれた部分が上端連結板１３を、それぞれ構成している。ロック機構支持板１２と検知体支持板１４とは、上端連結板１３の中央を境にして対称に形成してある。これは、何れをロック機構支持板とするか、検知体支持板とするか、を制限されないように、つまり、両者を交換使用可能にするためである。同じ形状なわけであるから、ある場合にはロック機構支持板として、他の場合には検知体支持板として、それぞれ使用可能になる。そのようにすれば、組み立て等を行うときに、いちいち方向を定める必要がないため便利である。上端連結板１３の幅寸法は、ドア１０５の厚みより僅かに大きな寸法とする。ドアの一般的な厚みは３０〜５０ミリメートルであるから、上端連結板１３の幅寸法を、たとえば３５〜５５ミリメートルに設定するとよい。ロック機構支持板１２と検知体支持板１４のドア側面、つまり、ドア１０５に面する面に、たとえばウレタンシートのようなクッションシート（図示を省略）を貼り付けておくことが好ましい。クッションシートの弾力性や厚みを適当に選ぶことにより、ドア１０５を傷つけることを防止するとともに、ドア１０５の厚みの違いに対応させることができるからである。
【００１６】
補助錠１をドア１０５の角部に取り付けたときの上端連結板１３は、ロック機構支持板１２と検知体支持板１４が自重により下方に移動しようとするのを阻止する役目と、ドア１０５の上端面１０５ａと枠体１０３の下面１０３ａとの間の隙間に入り込み、下面１０３ａに押えられることにより上方への移動を阻止する役目とを担っている（図８参照）。すなわち、上端連結板１３により、補助錠１の上下方向の移動が規制される。
【００１７】
側端連結板３１は、上端連結板１３とほぼ同じ幅寸法に形成してあり、その両端を屈曲させて側板３２，３３を形成してある。側板３２，３３は、連結板着脱構造２１の一部を構成する（図３参照）。符合３４は、後述するロック片受け体５１の固定板５３を受け入れるために側板３２に形成した切欠を示している。側端連結板３１とは反対側の側板３２，３３の先端は、段部３２ａ，３３ａ（図３参照）を介して僅かに拡幅され、そこに係止爪３６，・・，３７，・・を形成してある。係止爪３６，・・，３７，・・は、着脱構造本体１１の側端部に形成した係止孔１６，・・，１７，・・にはまり込んで、側端連結板３１を着脱構造本体１１に取り付け可能に、かつ、はまり込んだ係止爪３６，・・，３７，・・を外すことにより両者を取り外し可能に形成してある。係止爪３６，・・，３７，・・も、連結板着脱構造２１の一部を構成する（図３参照）。
【００１８】
閉鎖時において、側端連結板３１がドア１０５の側端面１０５ｂと枠体１０３の側面１０３ｂとに挟まれることにより、ドア１０５の側端面１０５ｂに阻まれてドア１０５の中央部方向への移動が規制され、かつ、枠体１０３方向への移動は枠体１０３の側面１０３ｂに邪魔される（図９参照）。つまり、側端連結板３１はドア１０５の側端面１０５ｂと枠体１０３の側面１０３ｂとに挟まれて左右方向に移動できない。このように、上端連結板１３と側端連結板３１との働きにより、補助錠１の上下左右方向の移動が規制される。このため、補助錠１の取り付けは、ドア１０５の角部に上又は斜め上から被せるようにして行い、取り外しは、その逆の作業を行えばよい。ドア１０５を加工したり傷つけたりする必要はなく、また、特別な道具を用いることなく補助錠１の着脱することができる。
【００１９】
図２乃至９に示すように、ロック機構支持板１２にはロック機構部６１を固定してあり、検知体支持板１４には検知体７１を固定してある。固定に使用する部材には、たとえば、ネジ、接着剤、粘着テープ等がある。ロック機構部６１は、検知体７１に接近させた電子キー８１（図６参照）により制御されてロック片６３を出没可能に構成してある。検知体７１の内部には、送受信用アンテナ（図示を省略）を組み込んであり、電子キー８１との電波の送受信を介して、電子キー８１が持つＩＤコードとロック機構部６１内に記憶させてあるＩＤコードとを照合し、両者が一致したときだけロック片６３を出没させるように構成してある。ロック機構部６１と検知体７１とは、扁平配線体７５により電気的に接続してあり、この扁平配線体７５を介してロック機構部６１と検知体７１との間で電気信号の送受信が行われるようにしてある。ロック機構部６１から出た扁平配線体７５は、側板３２の外周面に沿って側方に延び、側板３２に形成したスリット３９を抜けて側端連結板３１の内側、すなわち、ドア１０５と側端連結板３１との間に入りこみ、側板３３の内側に沿って曲がり側板３３に形成したスリット４０から外側に出て検知体７１と接続している。したがって、扁平配線体７５は、側端連結板３１とともに、ドア１０５と枠体１０３との間の隙間に入りこめる薄さに形成する必要がある。
【００２０】
（ロック片受け体の構造）
図２、４、８及び９に基づいて説明する。ロック片受け体５１は、受け板５２と、その一端から起立させて形成した固定板５３と、その両側端を起立させて形成した両側板５４，５４と、両側板５４，５４の側端をさらに起立させて形成したガイド片５５，５５と、断面が略コの字状であって受け板５２に沿ってスライド可能なスライド部材５７と、スライド部材５７から起立させた挟持板５８と、スライド部材５７のスライド許容量を決定するネジ部材５９，５９と、により概ね構成してある。挟持板５８と固定板５３とは対向関係にあり、ネジ部材５９，５９を締め付けたり弛めたりすることにより、挟持板５８がスライドして両者間の距離を狭めたり広めたりできるように構成してある。挟持板５８のスライドは、その両端をガイド片５５，５５の端面と摺れさせることによりブレが生じないようになっている。側板５４，５４にはその一部を内側に折り曲げて形成した支持片５６，５６を設けてあり、この支持片５６，５６にはネジ孔（図示を省略）を形成してある。ネジ部材５９，５９の締め付けと弛めは、これらのネジ孔を使って行うようになっている。
【００２１】
ネジ部材５９，５９の締め付けにより固定板５３と挟持板５８との間に枠体１０３（図８，９参照）を強く挟み、これによりロック片受け体５１を枠体１０３に固定することができる。ロック片受け体５１の取り外しは、ネジ部材５９，５９を弛めることにより行う。固定板５３には貫通孔５３ａ，５３ａを、挟持板５８には貫通孔５８ａ，５８ａを、それぞれ形成してあるが、これらの貫通孔５３ａ，５３ａ，５８ａ，５８ａは、固定ネジ（図示を省略）を貫通させて固定板５３及び挟持板５８を枠体１０３に固定可能とするためのものである。必要に応じてネジ固定を行うことにより、ロック片受け体５１を確実に枠体１０３に固定することができる。固定板５３と挟持板５８とによる挟み固定だけでは十分でない場合に、特に有効である。
【００２２】
受け板５２にはロック孔６０を形成してある。ロック孔６０は、ロック機構部６１から突き出たロック片６３を受け入れて掛合可能（ロック可能）な形状（本実施形態では矩形）に形成してある（図２参照）。受け板５２の一部を内側（図２の紙面手前側）に起立させて当接片５２ａ，５２ａを形成することが好ましい。当接片５２ａ，５２ａを形成した分だけロック片６３との接触面積が大きくなるので、両者の当接によるロックをより確実なものとすることができるからである（図４、５参照）。
【００２３】
（本実施形態の作用効果）
図１乃至９に基づいて説明する。補助錠１によれば、ドア１０５への取り付けはドア１０５の角部の上から着脱構造３を被せるようにして行い、取り外しはその逆を行う（図１参照）。取り付けたときにロック機構支持板１２と検知体支持板１４とは自重により下方に移動しようとするが、ドア１０５の上端面１０５ａに載った上端連結板１３がその移動を阻止し、その結果、ロック機構支持板１２と検知体支持板１４のドア下方向への移動が規制される（図８参照）。ドア閉鎖時の上端連結板１３は、枠体１０３の下面１０３ａに押えられてドア上方向への移動をも規制される。つまり、上端連結板１３はドア上端面１０５ａと枠体下面１０３ａとに挟まれて上下方向に移動できない。他方、閉鎖時において、ドア１０５の側端面１０５ｂと枠体１０３の側面１０３ｂとにより挟まれる側端連結板３１は、ドア１０５の側端面１０５ｂに阻まれてドア中央部方向への移動が規制され、かつ、枠体１０３方向への移動は枠体１０３の側面１０３ｂに邪魔される。つまり、側端連結板３１はドア側端面１０５ｂと枠体側面１０３ｂとに挟まれて左右方向に移動できない。このように、上下左右方向の移動が規制されるため、ドア１０５を加工したり傷つけたりすることなく、さらに、特別な道具を用いることなく補助錠１を着脱することができる。さらに、閉鎖時に補助錠１がドア１０５から外れることはない。錠本体５は、いわゆる電子錠であって、電子キー８１を検知体７１に接近させることにより、施錠・開錠ができる。電子キー８１の制御により突出したロック片６３はロック片受け体５１のロック孔６０と掛合してロックが完了する。開錠するときは、電子キー８１の制御によりロック片６３が退出してロック孔６０とのロックが解除される。検知体７１とロック機構部６１との電気的接続は扁平配線体７５により行われ、扁平配線体７５はその扁平形状によりドア１０５と枠体１０３との間の僅かな隙間に挿入可能である。
【００２４】
ロック片受け体５１の枠体１０３への固定は、ネジ部材５９，５９の締め付けにより固定板５３と挟持板５８との間に枠体１０３（図８，９参照）を強く挟ませることにより行う。ロック片受け体５１の取り外しは、ネジ部材５９，５９を弛めることにより行う。貫通孔５３ａ，５３ａ，５８ａ，５８ａに固定ネジ（図示を省略）を貫通させて固定板５３及び挟持板５８を枠体１０３に固定してもよい。以上のとおり、補助錠１によれば、枠体１０３に対して開閉するドア１０５を加工したり傷つけたりせずに取り付け取り外しを行うことができる。特別な道具も必要ない。
【００２５】
【発明の効果】
本発明に係るドア用補助錠によれば、枠体に対して開閉するドアを加工したり傷つけたりすることなく、さらに、特別な道具を用いることなく着脱することができる。
【図面の簡単な説明】
【図１】ドア用補助錠を閉鎖したドアの左上角部に取り付けたドアの斜視図である。
【図２】図１に示す補助錠の拡大斜視図である。
【図３】図１に示す補助錠の着脱構造を示す斜視図である。
【図４】図１に示す補助錠の正面図（ドアの内側から見た図）である。
【図５】図１に示す補助錠の正面図（ドアの内側から見た図）である。
【図６】図１に示す補助錠の背面図（ドアの外側から見た図）である。
【図７】図１に示す補助錠の背面図（ドアの外側から見た図）である。
【図８】図１に示す補助錠の左側面図（ドア側から見た図）である。
【図９】図１に示す補助錠の平面図である。
【符号の説明】
１                補助錠
３                着脱構造
５                錠本体
１１              着脱構造本体
１２              ロック機構支持板
１３              上端連結板
１４              検知体支持板
１６，１７        係止孔
２１              連結板着脱構造
３１              側端連結板
３２，３３，５４  側板
３２ａ，３３ａ    段部
３４              切欠
３６，３７        係止爪
３９，４０        スリット
５１              ロック片受け体
５２              受け板
５２ａ            当接片
５３              固定板
５３ａ，５８ａ    貫通孔
５５              ガイド片
５６              支持片
５７              スライド部材
５８              挟持板
５９              ネジ部材
６０              ロック孔
６１              ロック機構部
６３              ロック片
７１              検知体
７５              扁平配線体
８１              電子キー
１０１            壁
１０３            枠体
１０３ａ          下面
１０３ｂ          側面
１０５            ドア
１０５ａ          上端面
１０５ｂ          側端面
１０７            ヒンジ
１０９            ハンドル
１１１            メインロック
【図１】
2004218296.tif 000003
【図２】
2004218296.tif 000004
【図３】
2004218296.tif 000005
【図４】
2004218296.tif 000006
【図５】
2004218296.tif 000007
【図６】
2004218296.tif 000008
【図７】
2004218296.tif 000009
【図８】
2004218296.tif 000010
【図９】
2004218296.tif 000011